(57)【要約】【課題】光ディスク再生装置において、２以上のチャンネルに対応していない音声出力アンプが接続された場合等においても、迫力のあるオーディオを楽しめるようにする。【解決手段】光ディスク再生装置の電源が投入されたとき、制御部は、まず、ＨＤＭＩケーブルを介して接続される接続先機器の対応チャンネル情報を取得する（＃１）。そして、リモコン装置を介して再生開始の指令が入力され（＃２においてＹＥＳ）、「ソースのチャンネル構成」において、「接続先機器のチャンネル構成」に含まれていないチャンネルがあれば（＃３においてＹＥＳ）、ダウンミックス処理を開始し（＃４）、接続先機器に音声出力を開始する（＃５）。また、「ソースのチャンネル構成」において、「接続先機器のチャンネル構成」に含まれていないチャンネルがなければ（＃３においてＮＯ）、ダウンミックス処理を行うことなく、接続先機器に音声出力を開始する（＃５）。【選択図】図４
2007158561.tif 000002
【特許請求の範囲】
【請求項１】
光ディスクにレーザビームを照射して信号の読み出しを行う光ピックアップと、この光ピックアップが読み出した信号を処理する信号処理手段と、この信号処理手段が処理した信号を復号する信号復号手段と、ＨＤＭＩ（High-Definition Multimedia Interface）ケーブルが接続されて、前記信号復号手段が復号した信号を装置外部に出力するＨＤＭＩ出力端子と、前記光ピックアップ、信号処理手段、信号復号手段を制御する制御手段とを備えた光ディスク再生装置において、
前記ＨＤＭＩケーブルを介して５チャンネル対応の音声出力アンプと接続可能であり、
前記制御手段は、前記ＨＤＭＩケーブルを介して接続される接続先機器の対応チャンネル情報及び該接続先機器に接続されているスピーカに関するチャンネル情報を取得し、ソースの音声チャンネル構成に該接続先機器の対応チャンネル情報及びスピーカに関するチャンネル情報に含まれないチャンネルがある場合には、該接続先機器の対応チャンネル又はスピーカが接続されているチャンネルに合わせて音声信号をダウンミックス処理した後、該接続先機器に出力することを特徴とする光ディスク再生装置。
【請求項２】
ＨＤＭＩ（High-Definition Multimedia Interface）ケーブルが接続されて、音声信号を装置外部に出力するＨＤＭＩ出力端子を備えた音声信号出力装置であって、
前記ＨＤＭＩケーブルを介して接続される接続先機器の対応チャンネル情報を取得し、ソースの音声チャンネル構成に該接続先機器の対応チャンネル情報に含まれないチャンネルがある場合には、該接続先機器の対応チャンネルに合わせて音声信号をダウンミックス処理した後、該接続先機器に出力することを特徴とする音声信号出力装置。
【請求項３】
請求項１に記載の光ディスク再生装置、又は請求項２に記載の音声信号出力装置を備えて成ることを特徴とするＡＶシステム。
【発明の詳細な説明】
【技術分野】
【０００１】
本発明は、ＨＤＭＩ（High-Definition Multimedia Interface）ケーブルを介して音声出力アンプに音声信号を出力する光ディスク再生装置、音声信号出力装置及びＡＶシステムに関するものである。
【背景技術】
【０００２】
近年、ＤＶＤ（Digital Versatile Disk)等の光ディスクには、３チャンネル以上（以下、多チャンネルという）の音声信号が記録されるようになり、光ディスク再生装置は、このような多チャンネルに対応した音声出力アンプを介して、音声信号を再生・出力できるように構成されている。そして、通常、光ディスク再生装置と音声出力アンプとは、ＨＤＭＩ（High-Definition Multimedia Interface）ケーブルを介して接続されている。
【０００３】
なお、特許文献１には、予め設定した１５種類の位置のスピーカからのうち、どのスピーカから音声を出力すべきかを示すサラウンド制御情報が記録された光ディスクを再生する光ディスク再生装置において、復調した音声情報を指定したスピーカの配置対応のチャンネル毎の音声情報に変換して出力するダウンミックス回路を備えたものが示されている。また、特許文献２には、光ディスク再生装置の内部係数ＲＯＭに予めダウンミックス係数を記憶させておき、光ディスクにダウンミックス係数が記憶されていない場合には、多チャンネル信号を２チャンネル信号にダウンミックスして出力する光ディスク再生装置が示されている。また、特許文献３には、メモリに記憶されたパターン番号に対応したスピーカ設定を行う音響機器が示されている。
【特許文献１】特開平９−２５９５３９号公報
【特許文献２】特開２００１−３４４９０６号公報
【特許文献３】特開２００５−１２５３４号公報
【発明の開示】
【発明が解決しようとする課題】
【０００４】
ところが、多チャンネルに対応していない音声出力アンプが上記従来の光ディスク再生装置に接続された場合には、対応していないチャンネルの音声信号が切り捨てられ、高価なＤＶＤソフトを購入しても迫力のあるオーディオ（音声）を楽しむことができない。また、音声出力アンプが多チャンネルに対応していても、その音声出力アンプに多チャンネルに相当するスピーカが接続されていない場合には、同様の問題が生ずる。
【０００５】
また、特許文献１に示されたような光ディスク再生装置は、製造コスト及び開発コストの高騰を招来し、コンシューマ向けの装置には適さない。
【０００６】
本発明は、上記課題を解決するためになされたものであり、簡素かつ安価な構成でありながらも、多チャンネルに対応していない音声出力アンプが接続された場合等においても、迫力のあるオーディオを楽しむことができる光ディスク再生装置及び音声信号出力装置を提供することを目的とする。
【課題を解決するための手段】
【０００７】
上記目的を達成するために請求項１の発明は、光ディスクにレーザビームを照射して信号の読み出しを行う光ピックアップと、この光ピックアップが読み出した信号を処理する信号処理手段と、この信号処理手段が処理した信号を復号する信号復号手段と、ＨＤＭＩ（High-Definition Multimedia Interface）ケーブルが接続されて、信号復号手段が復号した信号を装置外部に出力するＨＤＭＩ出力端子と、光ピックアップ、信号処理手段、信号復号手段を制御する制御手段とを備えた光ディスク再生装置において、
ＨＤＭＩケーブルを介して５チャンネル対応の音声出力アンプと接続可能であり、制御手段は、ＨＤＭＩケーブルを介して接続される接続先機器の対応チャンネル情報及び該接続先機器に接続されているスピーカに関するチャンネル情報を取得し、ソースの音声チャンネル構成に該接続先機器の対応チャンネル情報及びスピーカに関するチャンネル情報に含まれないチャンネルがある場合には、該接続先機器の対応チャンネル又はスピーカが接続されているチャンネルに合わせて音声信号をダウンミックス処理した後、該接続先機器に出力するものである。
【０００８】
請求項２の発明は、ＨＤＭＩ（High-Definition Multimedia Interface）ケーブルが接続されて、音声信号を装置外部に出力するＨＤＭＩ出力端子を備えた音声信号出力装置であって、ＨＤＭＩケーブルを介して接続される接続先機器の対応チャンネル情報を取得し、ソースの音声チャンネル構成に該接続先機器の対応チャンネル情報に含まれないチャンネルがある場合には、該接続先機器の対応チャンネルに合わせて音声信号をダウンミックス処理した後、該接続先機器に出力するものである。
【０００９】
請求項３の発明は、請求項１に記載の光ディスク再生装置、又は請求項２に記載の音声信号出力装置を備えて成るＡＶシステムである。
【発明の効果】
【００１０】
請求項１の発明によれば、制御手段が、接続先機器の対応チャンネル情報を取得し、ソースの音声チャンネル構成にその接続先機器の対応チャンネル情報に含まれないチャンネルがある場合には、接続先機器の対応チャンネルに合わせて音声信号をダウンミックス処理した後、接続先機器に出力する。これにより、接続先機器が対応していないチャンネルの音声信号を対応しているチャンネルに反映させることができ、迫力のあるオーディオを楽しむことができるようになる。また、制御手段が、接続先機器に接続されているスピーカに関するチャンネル情報を取得し、上記と同様の処理を行うので、スピーカが接続されていないチャンネルの音声信号をスピーカが接続されているチャンネルに反映させることができ、迫力のあるオーディオを楽しむことができるようになる。また、光ディスク再生装置に接続可能な音声出力アンプは、５チャンネル対応であり、かつアンプとＨＤＭＩケーブルを介して接続可能であるため、比較的安価に迫力あるオーディオを楽しむことができる。
【００１１】
請求項２の発明によれば、接続先機器の対応チャンネル情報を取得し、ソースの音声チャンネル構成にその接続先機器の対応チャンネル情報に含まれないチャンネルがある場合には、接続先機器の対応チャンネルに合わせて音声信号をダウンミックス処理した後、接続先機器に出力する。これにより、接続先機器が対応していないチャンネルの音声信号を対応しているチャンネルに反映させることができ、迫力のあるオーディオを楽しむことができるようになる。また、音声信号出力装置と接続先機器とがＨＤＭＩケーブルを介して接続可能であるため、比較的安価にオーディオを楽しむことができる。
【００１２】
請求項３の発明によれば、請求項１に記載の光ディスク再生装置、又は請求項２に記載の音声信号出力装置を備えたＡＶシステムを構築することができる。
【発明を実施するための最良の形態】
【００１３】
本発明を実施するための最良の実施形態による光ディスク再生装置について図面を参照して説明する。図１は光ディスク再生装置を用いたＡＶシステム（ホームシアタシステム）を示している。ＡＶシステム１００は、光ディスクに記録された映像信号及び音声信号を再生する光ディスク再生装置１と、光ディスク再生装置（ＤＶＤプレーヤ等）１が再生した音声信号を増幅して出力する５チャンネル対応の音声出力アンプ２と、音声出力アンプ２から出力された音声信号に応じて音声を出力するスピーカＦＬ（フロントレフト）、ＦＲ（フロントライト）、Ｃ（センタ）、ＳＬ（サラウンドレフト）、ＳＲ（サラウンドライト）と、光ディスク再生装置１が再生した映像信号に応じて映像を出力するモニタ装置３と、ユーザ１０１が光ディスク再生装置１及び音声出力アンプ２に各種の指令を入力するためのリモコン装置４等によって構成されている。スピーカＦＬ、ＦＲ、Ｃ、ＳＬ、ＳＲは、ユーザ１０１の嗜好等によって適宜取捨選択可能である。
【００１４】
光ディスク再生装置１と音声出力アンプ２とは、ＨＤＭＩ（High-Definition Multimedia Interface）ケーブル５によって接続され、デジタル信号が送信される。また、音声出力アンプ２と各スピーカＦＬ、ＦＲ、Ｃ、ＳＬ、ＳＲとは、通常のスピーカケーブル６によって接続され、音声出力アンプ２によって増幅されたアナログの音声信号が送信される。また、音声出力アンプ２とモニタ装置３とは、デジタル対応又はアナログ対応の映像出力ケーブル７によって接続されている。
【００１５】
図２は、光ディスク再生装置１の構成を示している。光ディスク再生装置１は、光ディスクにレーザビームを照射して信号の読み出しを行う光ピックアップ１１と、この光ピックアップ１１が読み出した信号を処理する信号処理部（信号処理手段）１２と、信号処理部１２が処理した信号を復号するデコーダ（信号復号手段）１３と、ＨＤＭＩケーブル５が接続されて、デコーダ１３が復号した信号を装置外部に出力するＨＤＭＩ出力端子１４と、光ピックアップ１１、信号処理部１２、デコーダ１３を制御する制御部（制御手段）１５と、リモコン装置４から送信された指令を受信する受信部１６等によって構成されている。
【００１６】
本実施形態の光ディスク再生装置１は、音声出力アンプ２の対応チャンネル数、又は音声出力アンプ２に接続されているスピーカの数に応じて、音声信号をダウンミックスして出力する機能を有している。この機能は、ユーザがリモコン装置４を操作することによって有効又は無効にすることができる。
【００１７】
図３は、光ディスク再生装置１から音声出力アンプ２に出力される音声信号のチャンネルを示している。光ディスク再生装置１に接続される接続先機器（図１に示すホームシアタシステムにおいては、音声出力アンプ２）に出力される音声信号のチャンネルは、ソースの音声チャンネルと、接続先機器の対応チャンネル、又はスピーカの構成によって異なる。
【００１８】
例えば、モニタ装置３として、プロジェクタ（画像投影装置）が接続される場合には、スピーカは接続されないものとして、光ディスク再生装置１から音声信号は出力されない。以下、モニタ装置３として、ＬＣＤ（Liquid Crystal Display)が接続された場合について説明する。まず、接続先機器の対応チャンネルが２チャンネル（ＦＬ／ＦＲ）であって、ソースの音声チャンネルが３チャンネル（ＦＬ／ＦＲ／Ｃ）、４チャンネル（ＦＬ／ＦＲ／ＳＬ／ＳＲ）又は５チャンネル（ＦＬ／ＦＲ／Ｃ／ＳＬ／ＳＲ）である場合には、光ディスク再生装置１からダウンミックスされた２チャンネル（ＦＬ／ＦＲ）の音声信号が出力される。このとき、スピーカＣ又はＳＬ／ＳＲから出力されるべきであった音声の信号は、スピーカＦＬ／ＦＲから出力される音声の信号にミックスされる。
【００１９】
また、接続先機器の対応チャンネルが３チャンネル（ＦＬ／ＦＲ／Ｃ）であって、ソースの音声チャンネルが４チャンネル（ＦＬ／ＦＲ／ＳＬ／ＳＲ）又は５チャンネル（ＦＬ／ＦＲ／Ｃ／ＳＬ／ＳＲ）である場合には、光ディスク再生装置１からダウンミックスされた３チャンネル（ＦＬ／ＦＲ／Ｃ）の音声信号が出力される。このとき、スピーカＳＬ／ＳＲから出力されるべきであった音声の信号は、スピーカＦＬ／ＦＲから出力される音声の信号にミックスされる。
【００２０】
同様に、接続先機器の対応チャンネルが４チャンネル（ＦＬ／ＦＲ／ＳＬ／ＳＲ）であって、ソースの音声チャンネルが３チャンネル（ＦＬ／ＦＲ／Ｃ）又は５チャンネル（ＦＬ／ＦＲ／Ｃ／ＳＬ／ＳＲ）である場合には、光ディスク再生装置１からダウンミックスされた２チャンネル（ＦＬ／ＦＲ）又は４チャンネル（ＦＬ／ＦＲ／ＳＬ／ＳＲ）の音声信号が出力される。このとき、スピーカＣから出力されるべきであった音声の信号は、スピーカＦＬ／ＦＲから出力される音声の信号にミックスされる。このように、図中網掛けで示した組み合わせにおいて、ソースには記録されているが接続先機器には対応していないチャンネル成分が接続先機器に対応しているチャンネル成分に合わせ込まれて出力される。なお、接続先機器の対応チャンネルが５チャンネル（ＦＬ／ＦＲ／Ｃ／ＳＬ／ＳＲ）である場合には、音声信号はダウンミックスされることなく光ディスク再生装置１から出力される。
【００２１】
図４は、音声信号の再生を開始するまでの制御部１５の処理を示している。光ディスク再生装置１の電源が投入されたとき、制御部１５は、まず、ＨＤＭＩケーブル５を介して接続されている接続先機器の対応チャンネル情報を取得する（＃１）。そして、リモコン装置４を介して再生開始の指令が入力され（＃２においてＹＥＳ）、「ソースのチャンネル構成」において、「接続先機器のチャンネル構成」に含まれていないチャンネルがあれば（＃３においてＹＥＳ）、ダウンミックス処理を開始し（＃４）、接続先機器に音声出力を開始する（＃５）。また、「ソースのチャンネル構成」において、「接続先機器のチャンネル構成」に含まれていないチャンネルがなければ（＃３においてＮＯ）、ダウンミックス処理を行うことなく、接続先機器に音声出力を開始する（＃５）。なお、図４では、接続先機器の対応チャンネル構成とソースのチャンネル構成とを比較してダウンミックス処理を行う場合について説明したが、接続先機器に接続されているスピーカのチャンネル構成とソースのチャンネル構成とを比較してダウンミックス処理を行う場合も同様である。ここで、接続先機器に接続されているスピーカのチャンネル構成は、 例えば、ユーザがリモコン装置４を操作して接続先機器、すなわち音声出力アンプ２に入力することができる。
【００２２】
以上のように、本実施形態の光ディスク再生装置１によれば、制御部１５が、接続先機器の対応チャンネル情報を取得し、ソースの音声チャンネル構成にその接続先機器の対応チャンネル情報に含まれないチャンネルがある場合には、接続先機器の対応チャンネルに合わせて音声信号をダウンミックス処理した後、接続先機器に出力する。これにより、対応していないチャンネルの音声信号を対応しているチャンネルに反映させることができ、迫力のあるオーディオを楽しむことができるようになる。また、制御部１５が、接続先機器に接続されているスピーカに関するチャンネル情報を取得し、上記と同様の処理を行うので、スピーカが接続されていないチャンネルの音声信号をスピーカが接続されているチャンネルに反映させることができ、迫力のあるオーディオを楽しむことができるようになる。また、光ディスク再生装置１に接続可能な音声出力アンプ２は、５チャンネル対応であり、かつ音声出力アンプとＨＤＭＩケーブル５を介して接続可能であるため、比較的安価に迫力あるオーディオを楽しむことができる。
【００２３】
なお、本発明は上記実施形態の構成に限られることなく、少なくともＨＤＭＩケーブル５を介して接続される接続先機器の対応チャンネル情報を取得し、その接続先機器の対応チャンネルに合わせて音声信号を適宜ダウンミックス処理した後、出力するように構成されていればよい。また、本発明は光ディスク再生装置に限られることなく、多チャンネル対応の音声信号を出力する装置（例えば、テレビジョン放送受信装置等）であれば、はば広く適用が可能である。さらに、光ディスク再生装置１に接続可能な音声出力アンプは、５チャンネル対応に限られることなく、３チャンネル、４チャンネル又は５．１チャンネル対応であってもよい。
【図面の簡単な説明】
【００２４】
【図１】本発明の一実施形態による光ディスク再生装置を用いたホームシアタシステムの構成を示す図。
【図２】同光ディスク再生装置の構成を示すブロック図。
【図３】種々の機器が接続され、種々のソースを再生する場合における光ディスク再生装置から音声出力アンプに出力される音声信号のチャンネルを示す図。
【図４】音声信号の再生を開始するまでの制御部の処理を示すフローチャート。
【符号の説明】
【００２５】
１    光ディスク再生装置
２    音声出力アンプ
３    モニタ装置
５    ＨＤＭＩケーブル
１１    光ピックアップ
１２    信号処理部（信号処理手段）
１３    デコーダ（信号復号手段）
１４    ＨＤＭＩ出力端子
１５    制御部（制御手段）
１００    ＡＶシステム
【図１】
2007158561.tif 000003
【図２】
2007158561.tif 000004
【図４】
2007158561.tif 000005
【図３】
2007158561.tif 000006